(57)【要約】【課題】  底枠に外径の太いロープを巻き付けるスレ巻きをしなくても底枠に取り付けた網地や網地取り付け糸などが擦れて破損することがないようにし、また、投入時及び投入後に転倒することがないようにし、さらに、網地や網地取り付け糸をしっかりと固定することができるようにした水蛸等の捕獲器を提供する。【解決手段】  楕円形の底枠２に、底枠２の外側に位置すると共に底枠２のやや下方に位置するように外枠３を固着する。外枠３は、捕獲器を海中或いは水中に投入した際に正常に海底等に着地し着地後に転倒することがないように、捕獲器の重量バランスや投入する海域或いは水域の潮流や水流を考慮して太ささ（重さ）を適宜選定する。【選択図】  図１
2005328722.tif 000002
【特許請求の範囲】
【請求項１】
ほぼ楕円形に形成した底枠と、底枠の外側に位置すると共に底枠のやや下方に位置する底枠に溶接等により固着した外枠と、底枠のほぼ中心部に回動自在に取り付けたほぼ半円形の複数本の外周枠と、底枠に回動自在に取り付けたほぼ半円形の開閉用枠と、底枠の底部に取り付けられた網地と、外周枠及び開閉用枠の外面全体を覆うように前記外周枠及び開閉用枠に取り付けられると共に開閉用枠の反対側で底枠に取り付けられた網地と、網地に形成された適数個の水蛸等の進入口とを備えた水蛸等の捕獲器
【発明の詳細な説明】
【技術分野】
【０００１】
本発明は，海底に沈めて水蛸等を捕獲するのに適した器具に関するものである。
【背景技術】
【０００２】
従来，水蛸のように大型の蛸を捕獲するについては、ほぼ楕円形に形成した底枠と、該底枠の中央部に回動自在に取り付けた複数本のほぼ半円形の外周枠と、網地取り付け糸によりこの底枠及び外周枠の外面全体を覆いように底枠及び外周枠に取り付けられており、かつ、水蛸等の進入口が形成されている網地とから成る捕獲器が使用されている。
【０００３】
この捕獲器は、海中或いは水中に沈め、内部に入れた餌で進入口から内部に誘い込んで水蛸等を捕獲するように使用されている。
【０００４】
そして、この捕獲器は、図４に示したように、底枠２０に外径の太いロープ２１を巻き付けてあるのが通常である。これは「スレ巻き」と呼ばれるが、その目的は、捕獲器を倉庫に保管する際や、倉庫から出して漁船に積み込む際や、海中或いは水中に捕獲器を投入する際や、海中或いは水中に投入後海底に着地した際や、海底に着地後に潮の流れで捕獲器の底枠が地面、船底、海底と接触し、底枠等に取り付けてある網地や網地取り付け糸などが擦れて早期に破損することがあるので、底枠に外径の太いロープを巻き付けて、底枠に取り付けてある細く弱い網地２２や網地取り付け糸２３などが直接地面、船底、海底と接触しないようにしてその破損を防止するというものである。しかし、「スレ巻き」には手間がかかるし、緩みや傷みを補修にも手間がかかるだけでなく、接触する地面、船底、海底が必ずしも平坦というわけでもないから、必ずしも期待した破損防止の効果が得られないことがある。
【０００５】
また，このような捕獲器は、水中に投入した際に、潮流や水流によって流されてしまい正常に海底等に着地しないことがあり、また、正常に着地しても、捕獲スペースを確保するための底枠と外周枠との重量バランスの関係から、また、外周枠にかけられた網地による潮流や水流に対する抵抗が大きいことから、着地後に捕獲器が転倒する可能性がある。転倒した状態の捕獲器では、漁獲はほとんど期待できない。
【０００６】
この捕獲器の着地後の転倒を回避する方法としては、底枠を太くして重くする方法があるが、底枠を太くすると、網地を取り付ける際に、網地取り付け糸の固定がしにくく、しっかりと固定したつもりでも後々使用していると網地取り付け糸が緩み、所定位置からずれて移動し、捕獲器の形状が乱れて漁獲に影響がでてしまう。
【０００７】
さらに、特開２００３−２８９７５１号公報に記載されたように、底枠の下部側に外枠の全周に沿って重錘用枠を取り付けるようしても、重錘用枠が底枠の外側に位置しているわけではないので、例えば横方向から障害物が網地に近づいてくるような場合には、網地や網地取り付け糸の保護に充分ではない。
【特許文献１】特開２００３−２８９７５１
【発明の開示】
【発明が解決しようとする課題】
【０００８】
そこで，本発明は，「スレ巻き」をしなくても網地や網地取り付け糸などが擦れて早期に破損することがなく、水中に投入した際に潮流や水流によって流されても正常に海底等に着地し着地後に転倒する可能性が低く、また、底枠を太くして重くする方法によらず、かつ、網地を取り付ける際に網地取り付け糸の固定がしやすくしっかりと網地を固定することができて繰り返し使用に供しても網地取り付け糸の緩みがこず、しかも、例えば横方向から障害物が網地に近づいてくるような場合でも網地や網地取り付け糸の擦れによる破損を防止できるようにした水蛸等の捕獲器の提供を目的とするものである。
【課題を解決するための手段】
【０００９】
上記課題を解決するための本発明の構成は，ほぼ楕円形に形成した底枠と、底枠の外側に位置すると共に底枠のやや下方に位置する底枠に溶接等により固着した外枠と、底枠のほぼ中心部に回動自在に取り付けたほぼ半円形の複数本の外周枠と、底枠に回動自在に取り付けたほぼ半円形の開閉用枠と、底枠の底部に取り付けられた網地と、外周枠及び開閉用枠の外面全体を覆うように前記外周枠及び開閉用枠に取り付けられると共に開閉用枠の反対側で底枠に取り付けられた網地と、網地に形成された適数個の水蛸等の進入口とを備えたものである。
【００１０】
上記の捕獲器の網地は、底枠、外周枠、及び、開閉用枠に網地取り付け糸等により取り付けられる。そして、上記の捕獲器を水中に投入して使用に供する際には、内部に餌を入れた後、外枠上で外周枠と開閉用枠が回動して開いてしまわないように、開閉用枠を底枠にロープで縛りつけたり、フックで掛け止めする等して固定する。
【００１１】
上記の捕獲器において、底枠の外側に、かつ、底枠のやや下方に位置するように外枠が底枠に溶接等により固着されているので、捕獲器を倉庫に保管する際も、倉庫から出して漁船に積み込む際も、海中或いは水中に捕獲器を投入する際も、海中或いは水中に投入後海底に着地した際も、底枠が地面、船底、海底等の障害物と接触し、底枠に取り付けてある網地や網地取り付け糸等が擦れて破損することがないので、「スレ巻き」は行わないのが通常である。
【００１２】
また、外枠が、底枠の外側に、かつ、底枠のやや下方に位置するように底枠に溶接等により固着されているので、外枠は、網地の若干外側に位置することとなり、このため、例えば、横方向から障害物が網地に近づいてくるような場合でも網地や網地取り付け糸の擦れによる破損を防止できる。
【００１３】
また、水中に投入した際に潮流や水流によって流されても正常に海底等に着地し着地後に転倒することがないようにするには、外枠の材質に断面円形の金属製の棒材を採択し、適当な太さの（重さの）ものを選択するだけでよく、底枠は勿論、外周枠、及び、開閉用枠の太さを変更する必要はないから、網地を取り付ける際に網地取り付け糸の固定がしやすくしっかりと網地を固定することができて繰り返し使用に供しても網地取り付け糸の緩みがこない。
【００１４】
また、上記の捕獲器においては、進入口は所望数設けることができるが、水蛸の捕獲に使用するときは、一側に１つ、又は、左右両側に各１つ設けられるのが通常である。
【発明の効果】
【００１５】
本発明は，上記の通り構成したから、底枠の外側に、かつ、底枠のやや下方に位置するように外枠が底枠に溶接等により固着されているので、「スレ巻き」を行わなくても、捕獲器を倉庫に保管する際も、倉庫から出して漁船に積み込む際も、海中或いは水中に捕獲器を投入する際も、海中或いは水中に投入後海底に着地した際も、底枠が地面、船底、海底等の障害物と接触し、底枠に取り付けてある網地や網地取り付け糸等が擦れて破損することがない。
【００１６】
また、外枠が、底枠の外側に、かつ、底枠のやや下方に位置するように底枠に溶接等により固着されているので、外枠は、網地の若干外側に位置することとなり、このため、例えば、横方向から障害物が網地に近づいてくるような場合でも網地や網地取り付け糸の擦れによる破損を防止できる。
【００１７】
さらに、外枠の太ささ（重さ）を適宜選定することにより、海中或いは水中に投入した際に正常に海底等に着地し着地後に転倒することがないようにすることができ、底枠は勿論、外周枠、及び、開閉用枠の太さ（重さ）を変更する必要はないので、網地を取り付ける際に網地取り付け糸の固定がしやすくしっかりと網地を固定することができて繰り返し使用に供しても網地取り付け糸の緩みがこない。
【００１８】
従って、製造も容易であり、安価な価格で捕獲器を提供することができる等の優れた効果が期待できる。
【実施例】
【００１９】
以下、 図１及び図３を参照して，本発明の実施の一形態を説明する。
【００２０】
この実施形態は、所定の口径の金属製の丸棒をほぼ楕円形に折り曲げ、中間部に補強枠１を取り付けた底枠２と、底枠２の外側に位置すると共に底枠２のやや下方に位置するように底枠２に適宜の連結材を介して溶接等により固着した外枠３を使用している。外枠３は、捕獲器を海中或いは水中に投入した際に正常に海底等に着地し着地後に転倒することがないように、捕獲器の重量バランスや投入する海域或いは水域の潮流や水流を考慮して太ささ（重さ）が適宜選定される。
【００２１】
底枠２のほぼ中心部には、半円形の支持枠４が取り付けられており、この支持枠４にはほぼ半円形の外周枠５が３本それぞれ回動自在に取り付けられている。そして、最外側の外周枠５の外側で、底枠２の所望の側にはほぼ半円形の開閉用枠６が支持枠４に回動自在に取り付けられている。
【００２２】
底枠２の底部には網地７が張設されており、網地７の周縁は図示しない網地取り付け糸により底枠２に取り付けられている。また、外周枠５及び開閉用枠６の外面全体を覆うように、そして、外周枠５が底枠２に対して所定の角度となるように、さらに、開閉用枠６が底枠２に当たるように網地８が張設されており、網地８は図示しない網地取り付け糸により開閉用枠６側を除いて底枠２と外周枠５と開閉用枠６に取り付けられている。網地８には左右にそれぞれ１個、計２個の水蛸等の進入口９が設けられている。進入口９はほぼ円筒状に形成されており、捕獲器の網地７、８で囲まれた内部に導通されている。
【００２３】
上記捕獲器は、開閉用枠６及び外周枠５を回動させて開いて内部に餌を入れ、開閉用枠６及び外周枠５を回動させて閉じ、開閉用枠６を底枠２にフックを掛けたり、ロープで開閉用枠６を底枠２に縛りつける等して閉じた後、ロープに結ぶなどして海中或いは水中に投入して使用に供される。
【００２４】
海中或いは水中に投入された上記捕獲器は、海底に着地した際に、外枠３が底枠２の外側に、そして、底枠２のやや下方に位置するように底枠２に溶接等により固着されているから、外枠３は底枠２の網地７、８取付け部の若干外側上方に位置することとなり、このため、「スレ巻き」をしなくても網地７、８や網地取り付け糸などが擦れて破損することがない。
【００２５】
また、例えば、横方向から障害物が網地７、８に近づいてくるような場合でも、外枠３と網地７、８との間には若干の間隔が生じるのでや網地取り付け糸の擦れによる破損は少なくなる。
【００２６】
そして、外枠３の太ささ（重さ）が、捕獲器の重量バランスや投入する海域或いは水域の潮流や水流を考慮して選定されているので、海中或いは水中に投入した際に正常に海底等に着地するだけでなく、捕獲器が投入する海域或いは水域の潮流や水流によって流されても着地後に転倒することがない。
【００２７】
しかも、底枠は勿論、外周枠、及び、開閉用枠の太さ（重さ）は、網地７、８や網地取り付け糸を固定する作業がし易く、また、固定力が最も大きい太さを選定できるので、しっかりと網地７、８を固定することができ、繰り返し使用に供しても網地７、８や網地取り付け糸の緩みがこないのである。
【図面の簡単な説明】
【００２８】
【図１】本発明の実施の１形態に係る捕獲器の正面図である。
【図２】図１の捕獲器の底枠及び外枠の斜視図である。
【図３】図１の捕獲器の底枠及び外枠の位置関係を示す説明図である。
【図４】従来行われていたスレ巻きの説明図である。
【符号の説明】
【００２９】
１    補強枠
２    底枠
３    外枠
４    支持枠
５    外周枠
６    開閉用枠
７    網地
８    網地
９    水蛸等の進入口
２０    底枠
２１    ロープ
２２    網地
２３    網地取り付け糸
【図１】
2005328722.tif 000003
【図２】
2005328722.tif 000004
【図３】
2005328722.tif 000005
【図４】
2005328722.tif 000006